(57)【要約】【課題】塵埃を捕集する集塵手段を有する電気掃除機の品質の安定および使用性の向上を実現することを目的とする。【解決手段】吸引風を発する電動送風機１４と、前記吸引風とともに吸引された塵埃を捕集する集塵手段１２と、前記集塵手段１２を収納し把手部２４を有する収納部２３と、前記収納部２３を収納する集塵室１３と、前記集塵室１３を覆う集塵蓋１８とを備え、前記集塵室１３に前記収納部２３を収納し、前記集塵室１３を前記集塵蓋１８にて覆った状態においても、前記把手部２４は略上方向に位置してなるもので、把手部２４が常時略上方向に立っているため、収納部２３の取り出しが容易になり使用性が大きく向上するものである。【選択図】  図１
2004267681.tif 000002
【特許請求の範囲】
【請求項１】
吸引風を発する電動送風機と、前記吸引風とともに吸引された塵埃を捕集する集塵手段と、前記集塵手段を収納し把手部を有する収納部と、前記収納部を収納する集塵室と、前記集塵室を覆う集塵蓋とを備え、前記集塵室に前記収納部を収納し、前記集塵室を前記集塵蓋にて覆った状態においても、前記把手部は略上方向に位置してなる電気掃除機。
【請求項２】
収納部は、把手部と集塵手段を収納する収納部本体から構成され、前記把手部は自動的に略上方向に復元するよう付勢手段にて付勢されてなるとともに、前記把手部が略上方向に位置するように規制する位置規制部を有する請求項１記載の電気掃除機。
【請求項３】
位置規制部を、把手部を挟んで両側に設けた請求項２記載の電気掃除機。
【請求項４】
位置規制部を、収納部本体に設けた請求項２または３記載の電気掃除機。
【請求項５】
位置規制部を、集塵室と集塵蓋との間に設けたバンパーと一体的に形成した請求項２〜４のいずれか１項に記載の電気掃除機。
【請求項６】
位置規制部を、把手部の回動中心よりも上方に設けた請求項２〜５のいずれか１項に記載の電気掃除機。
【請求項７】
位置規制部の上面を、バンパーの上面と略同一位置となるよう形成した請求項５記載の電気掃除機。
【発明の詳細な説明】
【０００１】
【発明の属する技術分野】
本発明は、塵埃を捕集する集塵手段を有する電気掃除機に関するものである。
【０００２】
【従来の技術】
従来の電気掃除機を、図１０を用いて説明する。
【０００３】
従来の電気掃除機において、掃除機本体５は、塵埃を捕集する集塵袋７を収納した集塵室１と吸引風を発する電動送風機２を内蔵した電動送風機室３とを有している。また、前記集塵室１後方に回動自在に軸支されて前記集塵室１の上面を開閉自在に覆う集塵蓋６と、前記集塵袋７を装着し前記集塵室１に着脱自在に配設される収納部８とを備え、収納部８の後方上部に回動自在に軸支された把手部９とを備えている（例えば、特許文献１参照）。
【０００４】
【特許文献１】
特開２０００−１０２５００号公報
【０００５】
【発明が解決しようとする課題】
しかしながら上記従来の構成では、把手部９は収納部８の上端面とほぼ一致しており、収納部８を集塵室１より取り出す時、その度に把手部９を持ち上げなくてはならない不便さがあった。
【０００６】
また、細塵などが、把手部９の回動軸部に入り込むことによる抵抗により、把手部９の回動が途中で止まったした状態にて、集塵蓋６を閉じようとすると、把手部９に集塵蓋６などがあたり、集塵蓋６や把手部９を損傷させる恐れがあった。
【０００７】
本発明は、上記従来の課題を解決するもので、塵埃を捕集する集塵手段を有する電気掃除機の使用性の向上および品質の安定を実現することを目的とする。
【０００８】
【課題を解決するための手段】
上記目的を達成するために本発明は、吸引風を発する電動送風機と、前記吸引風とともに吸引された塵埃を捕集する集塵手段と、前記集塵手段を収納し把手部を有する収納部と、前記収納部を収納する集塵室と、前記集塵室を覆う集塵蓋とを備え、前記集塵室に前記収納部を収納し、前記集塵室を前記集塵蓋にて覆った状態においても、前記把手部は略上方向に位置してなるもので、把手部が常時略上方向に立っているため、収納部の取り出しが容易になり使用性が大きく向上するものである。
【０００９】
【発明の実施の形態】
本発明の請求項１記載の発明は、吸引風を発する電動送風機と、前記吸引風とともに吸引された塵埃を捕集する集塵手段と、前記集塵手段を収納し把手部を有する収納部と、前記収納部を収納する集塵室と、前記集塵室を覆う集塵蓋とを備え、前記集塵室に前記収納部を収納し、前記集塵室を前記集塵蓋にて覆った状態においても、前記把手部は略上方向に位置してなるもので、把手部が常時略上方向に立っているため、収納部の取り出しが容易になり使用性が大きく向上するものである。
【００１０】
本発明の請求項２記載の発明は、収納部は、把手部と集塵手段を収納する収納部本体から構成され、前記把手部は自動的に略上方向に復元するよう付勢手段にて付勢されてなるとともに、前記把手部が略上方向に位置するように規制する位置規制部を有するもので、把手部が、常時、略上方向に維持され使用性が向上するものである。
【００１１】
本発明の請求項３記載の発明は、位置規制部を、把手部を挟んで両側に設けたもので、把手部の回動中心部に細塵などが入り込むことによる抵抗により、把手部が途中で止まったりしても、位置規制部で把手部が矯正され、略上方向に把手部が位置するように戻るため、把手部が集塵蓋などに当たる事がなく集塵蓋や把手部を損傷させることがない。また、把手部の付勢手段の力が多少弱くても、把手部が位置規制部に規制されて、把手部が略上方向に把手部が位置するように規制されるため、把手部を回動させる力が弱くてもよく使用性が良いものである。
【００１２】
本発明の請求項４記載の発明は、位置規制部を、収納部本体に設けたもので、別部品が不要で安価に形成できる。
【００１３】
本発明の請求項５記載の発明は、位置規制部を、集塵室と集塵蓋との間に設けたバンパーと一体的に形成したもので、別部品が不要で安価に形成できる。
【００１４】
本発明の請求項６記載の発明は、位置規制部を、把手部の回動中心よりも上方に設けたもので、把手部を回動すると、把手部が位置規制部に当たるとともに、前記位置規制部が、把手部の回動中心よりも上方にあることで、自然に上方に引き上げられ、収納部の集塵室からの取り出しが容易になるものである。
【００１５】
本発明の請求項７記載の発明は、位置規制部の上面を、バンパーの上面と略同一位置となるよう形成したもので、位置規制部にごみがたまっても容易に除去ができるものである。
【００１６】
【実施例】
以下、本発明の一実施例を、図１〜図９を用いて説明する。
【００１７】
図１において、掃除機本体１０は、外郭を形成する上方開口した下カバー１１の前方に塵埃を捕集する紙袋１２ｂを収納する集塵室１３と、後方には吸引風を発生する電動送風機１４を収納する電動送風機室１５を設けており、電動送風機室１５の上方を上カバー１６によって覆い、電動送風機１４はクッション１７を介して下カバー１１と上カバー１６とで狭持している。集塵室１３の上方は、上カバー１６に軸支して開閉自在に回動する集塵蓋１８によって覆っており、また、集塵室１３と電動送風機室１５を区画する仕切壁１９を設けており、この仕切壁同士の間にパッキン４２を介して空気のタイトを行い気密性を確保している。仕切壁１９には連通口２０を設けており、集塵室１３と電動送風機室１５とは吸引風が流れるように構成してある。
【００１８】
集塵室１３の前方には前壁２１が形成され、そこには、逆止弁２２が保持されている。その逆止弁２２に密着して紙袋１２ｂは保持されている。また、前記紙袋１２ｂは、装着部である収納部本体２３に装着され、前記装着部である収納部本体２３は、紙袋１２ｂを装着したままで、上下方向へ着脱可能に集塵室１３に収納されている。集塵手段１２は、硬質材で形成した固定部１２ａと軟質材で通風性を有し、袋状に形成した紙袋１２ｂにより構成されている。
【００１９】
次に、集塵手段１２の装着部である収納部について説明する。図２〜図５において、収納部は、収納部本体２３と把手部２４から構成されており、前記収納部本体２３の側面から上方開口部を覆うように、把手部２４が軸回動可能に固定されており、前記把手部２４の軸２４ａと収納部本体２３の間に設けられた付勢手段であるバネ２５の付勢力により、把手部２４が収納部の上方開口部を覆うように倒立している。
【００２０】
次に、紙袋１２ｂが膨らんだとき、前記紙袋１２ｂの膨らみを略上方向から所定以内に押さえる押さえ部材である袋押さえ部材２６について説明する。図６において、集塵蓋１８内面に着脱可能に前記集塵蓋１８とは別部材である袋押さえ部材２６が固定されており、袋押さえ部材２６表面には通気部である通気穴２６ａが設けられている。尚、前記袋押さえ部材２６の固定方法については、爪嵌合またはねじによる固定でも良い。前記集塵蓋１８内面と袋押さえ部材２６との間には、電動送風機１４からの吸気風４４の流路である通路２７が設けられている。
【００２１】
次に、図２において、１１ａは下カバー１１の上端に取り付けられたバンパーで、集塵蓋１８と集塵室１３との間を空気タイトするリップ１１ｂが形成され、かつバンパー１１ａの上端面とほぼ一致するように、把手部２４の前方向への回動を規制する位置規制部１１ｃを一体に形成している。２４ａは把手部の回動軸で、付勢手段であるバネ２５により、把手部２４が後方向に自動的に回動するよう付勢されている。さらに、２３ａは、収納部本体２３と一体に形成され、把手部２４の後方向への動きを規制する位置規制部である。１２ａは固定部で紙袋１２ｂとともに集塵手段１２を形成している。なお、把手部２４の前方向への回動を規制する位置規制部１１ｃが収納部本体２３に、把手部２４の後方向への動きを規制する位置規制部２３ａがバンパー１１ａに設けられていてもよい。
【００２２】
次に、除塵装置２８について説明する。図７〜図９において、前記連通口２０の前方でかつ、下カバー１１で形成された集塵室１３の底面を境に、反対側の下カバー１１内に除塵装置２８が収納されている。また、紙袋１２ｂ外面に臨んで、振動動作を与えるための振動板２９が着脱自在に除塵装置２８に取り付けられている。
【００２３】
除塵装置２８は、集塵室１３下方の下カバー１１下部内に格納され蓋カバー３０で固定されており、除塵装置２８の本体ケース３１からは、可動板３２より立設した中空円柱状のアーム３３が集塵室１３内へ突出しており、このアーム３３に格子形状をなす振動板２９の下部にある突起３４が挿入嵌合されている。振動板２９は、仕切壁１９の連通口２０に面する集塵手段１２の外面に臨んだ位置に配設しているため、集塵手段１２を通過して連通口２０から吸引される吸引風を遮らないように通気部を形成するため格子形状となっている。また、アーム３３はリング状のゴム製ブッシング３４を介して本体ケース３１に固定されている。
【００２４】
本体ケース３１内には、電磁石３５と電磁石３６の吸引作用面と対向して平行に配置された磁石３７を先端部に固着した可動板３２が内蔵されており、可動板３２の磁石３７と反対側の一端はゴム製のスリーブ３８を介してネジ３９により、可動板３２が回動自在となるように本体ケース３１に固定されている。振動制御回路によりスイッチがＯＮされ電磁石３５にＡＣ１００Ｖ電源が通電されると、電磁石３６に生じた磁界により先端部に磁石３７を固着した可動板３２はネジ３８で固定した一端を支点として、アーム３３がゴム製ブッシング３４を前後に撓ませながら矢印４０、４１方向へＡＣ１００Ｖ電源の電源周波数（５０Ｈｚまたは６０Ｈｚ）に応じた周期で振動する。その振動はアーム３３を介して振動板２９に伝えられ、振動版２９も同様に矢印４０、４１方向へ振動し、紙袋１２ｂの外面を振動させ除塵を行うものである。
【００２５】
上記構成による作用は以下の通りである。
【００２６】
図１〜図５より、集塵室１３内に集塵手段１２を収納した収納部本体２３と把手部２４との間に付勢手段であるバネ２５にて、前記把手部２４を後方向に自動的に回動するように付勢している。また前記把手部２４は、前後方向に回動自在である。前記把手部２４が集塵室１３内に収納された状態で、把手部２４の前方向への回動を規制する位置規制部１１ｃをバンパー１１ａに設けたことで、把手部２４が常時、略垂直方向（略上方向）に位置しているため、収納部本体２３の取り出しが容易になり使用性が大きく向上するものである。
【００２７】
さらに、細塵などが把手部２４の回動軸２４ａ部に入り込むことによる抵抗により把手部２４が途中で止まったりしても、集塵室１３内に収納部本体２３を収納するとき、位置規制部１１ｃと位置規制部２３ａとで把手部２４が矯正され、略垂直方向（略上方向）に戻るため、把手部２４が集塵蓋１８などに当たる事がなく集塵蓋１８や把手部２４を損傷させることがない。
【００２８】
さらに、把手部２４のバネ２５の付勢力が多少弱くても、集塵室１３内に収納部本体２３を収納するとき、位置規制部１１ｃと位置規制部２３ａとで把手部２４が矯正され、把手部２４が略垂直方向（略上方向）に規制されるため、把手部２４を回動させる力が弱くてもよく使用性が良いものである。
【００２９】
さらに、把手部２４の後方への回動を規制する規制部２３ａを収納部本体２３側面に設けたもので、把手部２４が後方へ回動することなく、常時、略垂直方向（略上方向）に維持され使用性が向上するものである。
【００３０】
さらに、位置規制部１１ｃを、集塵室１３側面に設けたバンパー１１ａより一体に設けたもので、別部品が不要で安価な品物が提供できる。
【００３１】
さらに、位置規制部１１ｃは、把手部２４の回動軸２４ａ中心よりも上方に設けたもので、把手部２４を手前に回動させると、把手部２４が位置規制部１１ｃに当たり位置規制部１１ｃは、把手部２４の回動軸２４ａ中心よりも上方にあるため、収納部本体２３が把手部２４の回動軸２４ａ部により、自然に引き上げられ収納部本体２３の集塵室１３からの取り出しが容易になるものである。
【００３２】
さらに、位置規制部１１ｃの上面は、バンパー１１ａの上端面と略同一となるように設けたもので、位置規制部１１ｃ部にごみがたまっても容易に除去が出来るものである。
【００３３】
【発明の効果】
以上のように本発明によれば、塵埃を捕集する集塵手段を有する電気掃除機の品質の安定および使用性の向上を実現できる。
【図面の簡単な説明】
【図１】本発明の一実施例を示す掃除機本体の側断面図
【図２】同収納部の斜視図
【図３】同収納部の正面図
【図４】同収納部の側面図
【図５】同掃除機本体の斜視図
【図６】同掃除機本体の他の斜視図
【図７】同掃除機本体の要部斜視図
【図８】同除塵装置の分解斜視図
【図９】同除塵装置の平面図
【図１０】従来の掃除機本体の側断面図
【符号の説明】
１０  掃除機本体
１１  下カバー
１１ａ  バンパー
１１ｂ  リップ
１１ｃ  位置規制部
１２  集塵手段
１３  集塵室
１８  集塵蓋
２３  収納部本体
２３ａ  位置規制部
２４  把手部
【図１】
2004267681.tif 000003
【図２】
2004267681.tif 000004
【図３】
2004267681.tif 000005
【図４】
2004267681.tif 000006
【図５】
2004267681.tif 000007
【図６】
2004267681.tif 000008
【図７】
2004267681.tif 000009
【図８】
2004267681.tif 000010
【図９】
2004267681.tif 000011
【図１０】
2004267681.tif 000012